【事件の表示】
　平成１１年特許願第３４９１４７号「オーディオ情報の特徴記述方法」拒絶査定不服審判事件〔平成１３年６月２２日出願公開、特開２００１−１６７５５７〕について、次のとおり審決する。
【結　論】
　本件審判の請求は、成り立たない。
【理　由】
１．手続の経緯
　本件審判の請求に係る特許出願（以下、「本願」という。）は、平成１１年１２月８日の出願であって、平成１７年７月５日付け拒絶理由通知に対して、同年９月９日付けで手続補正がされたが、同年１０月１８日付けで拒絶査定され、これに対し、同年１１月２４日に拒絶査定不服審判が請求されるとともに、同年１２月２６日付けで手続補正がされたものである。
　
第２　平成１７年１２月２６日付けの手続補正についての補正却下の決定
［補正却下の決定の結論］
　平成１７年１２月２６日付けの手続補正を却下する。
　
［理由］
１．補正後の本願発明
　平成１７年１２月２６日付け手続補正（以下、「本件補正」という。）は、明細書の特許請求の範囲についてするもので、本件補正前は、
「【請求項１】　圧縮または非圧縮のオーディオ情報の特徴記述方法において、
　オーディオ情報の特徴を、オーディオプログラムを最上階層とし、上の階層から順に下の階層へ記述することにより階層的に表現するようにしたことを特徴とするオーディオ情報の特徴記述方法。
　【請求項２】　請求項１に記載のオーディオ情報の特徴記述方法において、　前記最上階層は、意味的に連続した内容を有する単一または複数のオーディオプログラムであり、該最上階層より下位の階層はオーディオシーンとオーディオショットの少なくとも一つを含む階層により表現することを特徴とするオーディオ情報の特徴記述方法。
　【請求項３】　請求項１又は２に記載のオーディオ情報の特徴記述方法において、
　前記最上階層および該最上階層より下位の階層のそれぞれは、少なくとも階層の名称、オーディオ情報種別、特徴種別、及び該特徴種別に分類されるオーディオ情報の区間で記述される特徴量で記述されることを特徴とするオーディオ情報の特徴記述方法。
　【請求項４】　請求項３に記載のオーディオ情報の特徴記述方法において、
　該オーディオ情報の区間を、時間を表す時間コード、または該オーディオ情報の開始フレーム番号及び終了フレーム番号で記述することを特徴とするオーディオ情報の特徴記述方法。
　【請求項５】　圧縮または非圧縮のオーディオ情報の特徴記述方法において、
　オーディオプログラムの特徴量を画像として表すオーディオサムネールで表現し、
　特徴種別としてオーディオサムネールを記述し、その内容として単一または複数の該画像ファイル名を記述することを特徴とするオーディオ情報の特徴記述方法。
　【請求項６】　圧縮または非圧縮のオーディオ情報の特徴記述方法において、
　時間的及び意味的に連続したオーディオ区間であるオーディオシーン、および前記オーディオシーンより短い時間の、時間的及び意味的に連続したオーディオ区間であるオーディオショットの少なくとも一つの特徴量を、それぞれ、該オーディオシーン、オーディオショット以下の任意の長さを有する単一または複数のオーディオ片であるオーディオクリップで表現することを特徴とするオーディオ情報の特徴記述方法。
　【請求項７】　圧縮または非圧縮のオーディオ情報の特徴記述方法において、
　時間的及び意味的に連続したオーディオ区間であるオーディオシーン、および前記オーディオシーンより短い時間の、時間的及び意味的に連続したオーディオ区間であるオーディオショットの少なくとも一つの特徴量を、それぞれ、該オーディオシーン、オーディオショット以下の任意の長さを有する単一または複数のオーディオ片であるオーディオクリップで表現し、該オーディオシーンまたはオーディオショットの特徴を代表する単一または複数のオーディオクリップを、キーオーディオクリップとして表現することを特徴とするオーディオ情報の特徴記述方法。
　【請求項８】　請求項７に記載のオーディオ情報の特徴記述方法において、
　特徴種別としてキーオーディオクリップを記述し、
　キーオーディオクリップのオーディオ情報種別が音声である場合に、該キーオーディオクリップの特徴を代表する音声をキーワードとして表現し、該キーワードの内容をテキスト情報で記述し、
　さらに該キーワードに相当する単一または複数のオーディオ区間を記述することを特徴とするオーディオ情報の特徴記述方法。
　【請求項９】　請求項７に記載のオーディオ情報の特徴記述方法において、
　特徴種別としてキーオーディオクリップを記述し、
　キーオーディオクリップのオーディオ情報種別が音楽である場合に、該キーオーディオクリップの特徴を代表する音楽をキーノートとして表現し、
　さらに該キーノートに相当する単一または複数のオーディオ区間を記述することを特徴とするオーディオ情報の特徴記述方法。
　【請求項１０】　請求項７に記載のオーディオ情報の特徴記述方法において、
　特徴種別としてキーオーディオクリップを記述し、
　キーオーディオクリップのオーディオ情報種別がサウンドである場合に、該キーオーディオクリップの特徴を代表するサウンドをキーサウンドとして表現し、
　さらに該キーサウンドに相当する単一または複数のオーディオ区間を記述することを特徴としたオーディオ情報の特徴記述方法。
　【請求項１１】　圧縮または非圧縮のオーディオ情報の特徴記述方法において、
　オーディオ情報が複数のチャネルまたはトラックから構成される場合に、該オーディオ情報の中で代表的なチャネルまたはトラックをキーストリームとして表現し、
　特徴種別としてキーストリームを記述し、
　さらに該キーストリームに相当するオーディオ区間を記述することを特徴とするオーディオ情報の特徴記述方法。
　【請求項１２】　圧縮または非圧縮のオーディオ情報の特徴記述方法において、
　オーディオ情報の中で代表的な事象を表すオーディオ情報をキーイベントとして表現し、
　特徴種別としてキーイベントを記述し、
　該キーイベントの内容をテキスト情報で記述し、
　さらに該キーイベントに相当する単一または複数のオーディオ区間を記述することを特徴とするオーディオ情報の特徴記述方法。
　【請求項１３】　圧縮または非圧縮のオーディオ情報の特徴記述方法において、
　オーディオ情報の中で代表的なオーディオ情報源からのオーディオ情報をキーオブジェクトとして表現し、
　特徴種別としてキーオブジェクトを記述し、
　該キーオブジェクトの内容をテキスト情報で記述し、
　さらに該キーオブジェクトに相当する単一または複数のオーディオ区間を記述することを特徴とするオーディオ情報の特徴記述方法。
　【請求項１４】　圧縮または非圧縮のオーディオ情報の特徴記述方法において、
　オーディオプログラム、オーディオシーン、またはオーディオショットの先頭または代表オーディオ片をオーディオ区間として表現またはオーディオファイルとして保存し、
　該オーディオ区間またはファイルの集合をオーディオスライドとして表現し、
　特徴種別としてオーディオスライドを記述し、
　さらに該オーディオスライドを構成する該オーディオファイルのオーディオ区間またはファイル名を記述することを特徴とするオーディオ情報の特徴記述方法。」
というものであったところを、
　
「【請求項１】　圧縮または非圧縮のオーディオ情報の特徴記述方法において、
　オーディオ情報の特徴を、オーディオプログラムを最上階層とし、上の階層から順に下の階層へ記述することにより階層的に表現
し、
　前記最上階層は、意味的に連続した内容を有する単一または複数のオーディオプログラムであり、該最上階層より下位の階層はオーディオシーンとオーディオショットの少なくとも一つを含む階層により表現する
　【請求項
２
　前記最上階層および該最上階層より下位の階層のそれぞれは、少なくとも階層の名称、オーディオ情報種別、特徴種別、及び該特徴種別に分類されるオーディオ情報の区間で記述される特徴量で記述されることを特徴とするオーディオ情報の特徴記述方法。
　【請求項
３
２
　該オーディオ情報の区間を、時間を表す時間コード、または該オーディオ情報の開始フレーム番号及び終了フレーム番号で記述することを特徴とするオーディオ情報の特徴記述方法。
　【請求項
４
　オーディオプログラムの特徴量を画像として表すオーディオサムネールで表現し、
　特徴種別としてオーディオサムネールを記述し、その内容として単一または複数の該画像ファイル名を記述することを特徴とするオーディオ情報の特徴記述方法。
　【請求項
５
　時間的及び意味的に連続したオーディオ区間であるオーディオシーン、および前記オーディオシーンより短い時間の、時間的及び意味的に連続したオーディオ区間であるオーディオショットの少なくとも一つの特徴量を、それぞれ、該オーディオシーン、オーディオショット以下の任意の長さを有する単一または複数のオーディオ片であるオーディオクリップで表現することを特徴とするオーディオ情報の特徴記述方法。
　【請求項
６
　時間的及び意味的に連続したオーディオ区間であるオーディオシーン、および前記オーディオシーンより短い時間の、時間的及び意味的に連続したオーディオ区間であるオーディオショットの少なくとも一つの特徴量を、それぞれ、該オーディオシーン、オーディオショット以下の任意の長さを有する単一または複数のオーディオ片であるオーディオクリップで表現し、該オーディオシーンまたはオーディオショットの特徴を代表する単一または複数のオーディオクリップを、キーオーディオクリップとして表現することを特徴とするオーディオ情報の特徴記述方法。
　【請求項
７
６
　特徴種別としてキーオーディオクリップを記述し、
　キーオーディオクリップのオーディオ情報種別が音声である場合に、該キーオーディオクリップの特徴を代表する音声をキーワードとして表現し、該キーワードの内容をテキスト情報で記述し、
　さらに該キーワードに相当する単一または複数のオーディオ区間を記述することを特徴とするオーディオ情報の特徴記述方法。
　【請求項
８
６
　特徴種別としてキーオーディオクリップを記述し、
　キーオーディオクリップのオーディオ情報種別が音楽である場合に、該キーオーディオクリップの特徴を代表する音楽をキーノートとして表現し、
　さらに該キーノートに相当する単一または複数のオーディオ区間を記述することを特徴とするオーディオ情報の特徴記述方法。
　【請求項
９
６
　特徴種別としてキーオーディオクリップを記述し、
　キーオーディオクリップのオーディオ情報種別がサウンドである場合に、該キーオーディオクリップの特徴を代表するサウンドをキーサウンドとして表現し、
　さらに該キーサウンドに相当する単一または複数のオーディオ区間を記述することを特徴としたオーディオ情報の特徴記述方法。
　【請求項
１０
　オーディオ情報が複数のチャネルまたはトラックから構成される場合に、該オーディオ情報の中で代表的なチャネルまたはトラックをキーストリームとして表現し、
　特徴種別としてキーストリームを記述し、
　さらに該キーストリームに相当するオーディオ区間を記述することを特徴とするオーディオ情報の特徴記述方法。
　【請求項
１１
　オーディオ情報の中で代表的な事象を表すオーディオ情報をキーイベントとして表現し、
　特徴種別としてキーイベントを記述し、
　該キーイベントの内容をテキスト情報で記述し、
　さらに該キーイベントに相当する単一または複数のオーディオ区間を記述することを特徴とするオーディオ情報の特徴記述方法。
　【請求項
１２
　オーディオ情報の中で代表的なオーディオ情報源からのオーディオ情報をキーオブジェクトとして表現し、
　特徴種別としてキーオブジェクトを記述し、
　該キーオブジェクトの内容をテキスト情報で記述し、
　さらに該キーオブジェクトに相当する単一または複数のオーディオ区間を記述することを特徴とするオーディオ情報の特徴記述方法。
　【請求項
１３
　オーディオプログラム、オーディオシーン、またはオーディオショットの先頭または代表オーディオ片をオーディオ区間として表現またはオーディオファイルとして保存し、
　該オーディオ区間またはファイルの集合をオーディオスライドとして表現し、
　特徴種別としてオーディオスライドを記述し、
　さらに該オーディオスライドを構成する該オーディオファイルのオーディオ区間またはファイル名を記述することを特徴とするオーディオ情報の特徴記述方法。」
と補正しようとするものである。
　
　上記本件補正は、請求項１に記載した発明を特定するために必要な事項である「最上階層」の「オーディオプログラム」及び「下位の階層」に関し、「前記最上階層は、意味的に連続した内容を有する単一または複数のオーディオプログラムであり、該最上階層より下位の階層はオーディオシーンとオーディオショットの少なくとも一つを含む階層により表現する」と限定要件を付加するものであって、平成１８年改正前特許法第１７条の２第４項第２号に掲げる特許請求の範囲の減縮を目的とするものに該当する。
　また、上記本件補正は、補正前の請求項２を削除するものであって、平成１８年改正前特許法第１７条の２第４項第１号に掲げる請求項の削除を目的とするものに該当する。
　そこで、本件補正後における特許請求の範囲の請求項１に記載されている事項により特定される発明（以下、「本願補正発明」という。）が、特許出願の際独立して特許を受けることができるものであるか（平成１８年改正前特許法第１７条の２第５項において準用する同法第１２６条第５項の規定に適合するか）否かについて、以下に検討する。
　
２．引用例
　原査定の拒絶の理由に引用された、本願出願前に頒布された刊行物である特開平３−１４１０９０号公報（以下、「引用例」という。）には、ＣＤ−ＲＯＭ記録方法に関して図面とともに以下の技術事項が記載されている（下線は当審で付した。）。
　（ａ）「〔産業上の利用分野〕
　本発明は、コンパクトディスクによる記録装置（以下ＣＤ−ＲＯＭという）、特に音声・画像の圧縮データおよびテキストデータ、プログラムデータなどを関連させて記録する方法に関する。」（第２頁左上欄第５乃至９行）
　（ｂ）「
この記録方法では、前記動画像データおよび前記音声データおよび／またはテキストデータを記録したデータファイルと、このデータファイルに記録されたデータの索引情報をまとめたインデックスファイルとに分けて記録し、前記インデックスファイルには、最小のアクセス単位であるショットと、連続する複数のショットをまとめたシーンという形式で、データの索引情報を階層化して記録し、前記データファイルには、フレーム内符号化によって圧縮されたフレームデータを一連のフレームデータからなるショットデータ単位に記録し、前記インデックスファイルにより、所定のシーンあるいは所定のショットデータを再生可能としている。
　前記ショットデータは、前記一連のフレームデータの最後に空き領域を設けることにより、前記ショットデータの大きさが、所定のバイト数を単位とするブロック長の整数倍になるように調整し、前記ショットデータの先頭をブロックの先頭に対応するように記録し、それぞれの前記ショットデータの先頭のブロックアドレスを前記インデックスファイルに索引情報として記録することで、ランダムアクセス可能としている。
　さらに前記データファイル中のショットデータに含まれる各フレームデータは、画像データ、音声データ、テキストデータを組合わせて構成され、この各種データの先頭にデータの種類を表すデータタイプ符号を付することにより、画像，音声，テキストの識別をなし、データタイプ符号のうちの１ビットを、前記フレームデータ内での前記各種データのリンクを判定するためのリンクビットとして用い、前記フレームデータ内で、前記データを組合わせて記録している。」（第２頁左下欄第４行乃至右下欄第１６行）
　（ｃ）「すなわち、
インデックスファイルにつき第１図で説明すると、
タイトルはＣＤ−ＲＯＭファイル全体のタイトル
　（ｄ）第１図には、
インデックスファイルの階層構造として、上位から、複数のシーンからなるＣＤ−ＲＯＭファイル全体の情報についての階層、シーン情報についての階層、及びショット情報についての階層を備えたもの
　
　上記摘示事項及び図面を総合勘案すると、引用例には、次の発明（以下、「引用発明」という。）が記載されているものと認める。
「動画像データおよび音声データを記録したデータファイルと、このデータファイルに記録されたデータの索引情報をまとめたインデックスファイルとに分けて記録し、前記インデックスファイルには、最小のアクセス単位であるショットと、連続する複数のショットをまとめたシーンという形式で、データの索引情報を階層化して記録し、前記インデックスファイルの階層構造として、上位から、複数のシーンからなるＣＤ−ＲＯＭファイル全体の情報についての階層、シーン情報についての階層、及びショット情報についての階層を備え、前記データファイルには、フレーム内符号化によって圧縮されたフレームデータを一連のフレームデータからなるショットデータ単位に記録し、前記インデックスファイルにより、所定のシーンあるいは所定のショットデータを再生可能とする記録方法。」
　
３．対比
　本願補正発明を、引用発明と比較する。
　（１）引用発明における「動画像データおよび音声データを記録したデータファイル」は「フレーム内符号化によって圧縮され」て記録されるものであるから、本願補正発明の「圧縮のオーディオ情報」に相当する構成を含むものである。なお、上記「圧縮のオーディオ情報」は、本願補正発明における「圧縮または非圧縮のオーディオ情報」という択一的構成における一方の構成に対応する。
　（２）引用発明における「動画像データおよび音声データを記録したデータファイルと、このデータファイルに記録されたデータの索引情報をまとめたインデックスファイルとに分けて記録し、前記インデックスファイルには、最小のアクセス単位であるショットと、連続する複数のショットをまとめたシーンという形式で、データの索引情報を階層化して記録し」は、データファイルに音声データを含むものであるから、本願補正発明における「オーディオ情報を、上の階層から順に下の階層へ記述することにより階層的に表現し」に相当する構成を含むものである。また、引用発明における上記記録の方法は、本願補正発明の「オーディオ情報の記述方法」に相当する方法を含むものである。
　（３）引用発明における「インデックスファイルの階層構造として、上位から、複数のシーンからなるＣＤ−ＲＯＭファイル全体の情報についての階層、シーン情報についての階層、及びショット情報についての階層を備え」は、本願補正発明における「最上階層より下位の階層はシーンとショットの少なくとも一つを含む階層により表現する」に相当する。
　
　すると、本願補正発明と、引用発明とは、次の点で一致する。
「圧縮のオーディオ情報の記述方法において、
　オーディオ情報を、上の階層から順に下の階層へ記述することにより階層的に表現し、
　最上階層より下位の階層はシーンとショットの少なくとも一つを含む階層により表現するオーディオ情報の記述方法。」である点。
　
　一方で、最上階層について、本願補正発明では「意味的に連続した内容を有する単一または複数のオーディオプログラム」という構成が特定されているのに対し、引用発明では、前記構成が特定されていない点、及び、上記シーンとショットについて、本願補正発明では「オーディオシーンとオーディオショット」と「オーディオ情報の特徴」を記述及び表現するものであるのに対し、引用発明では前記構成が特定されていない点、で相違する。
　
４．判断
　そこで、上記相違点について検討する。
　引用発明の、動画像データおよび音声データを記録したデータファイルに記録されたデータの索引情報をまとめたインデックスファイルにおける階層構造の最上階層は、ＣＤ−ＲＯＭファイル全体のタイトル及び複数のシーンからなるＣＤ−ＲＯＭファイル全体の情報についてのものであり（（ｃ），（ｄ），第１図参照）、前記複数のシーンが前記タイトルの下でまとめられている構成において、シーンの一般的意味（「一場面」等）を勘案すれば、その内容に何らかの意味的に連続した関係にあるものを含みうることは、当然に想起されるものと認められるから、引用発明において、最上階層を「意味的に連続した内容を有する単一または複数のプログラム」として構成することは、当業者が適宜設計しうる事項にすぎない。
　また、引用発明の、動画像データおよび音声データを記録したデータファイルに記録されたデータの索引情報をまとめたインデックスファイルにおける階層構造が、動画像データ及び音声データのいずれのデータファイルの構成にも採用しうるものであることは、前記両データが記録等の処理対象として同等に扱われる技術背景を勘案すれば、当業者にとって自明の事項であり、また、音声データに対し特徴を記述することが慣用技術であること（国際公開第９７／０９６８３号パンフレットの第３頁第３乃至１１行等（特に「音声インデクス」について）、及び、中島平太郎，小川博司，「図解コンパクトディスク読本」，株式会社オーム社，平成１０年４月２５日，改訂第３版第３刷，第１３８乃至１４３頁（特に「インデックス」について）参照）も考慮すれば、上記「プログラム」「シーン」「ショット」を、それぞれ「オーディオプログラム」「オーディオシーン」「オーディオショット」と特定して「オーディオ情報の特徴」を記述及び表現することに、格別の困難性はない。
　
　そして、上記相違点を総合して判断しても、本願補正発明の奏する効果は、引用例及び慣用技術から、当業者が十分に予測できたものであって、格別なものとはいえない。
　
　したがって、本願補正発明は、その出願前に頒布された刊行物である引用例に記載された発明及び慣用技術に基づいて、当業者が容易に発明をすることができたものである。
　
５．本件補正についてのむすび
　以上のとおり、本願補正発明は、特許法第２９条第２項の規定により、特許出願の際独立して特許を受けることができないものであるから、本件補正は、平成１８年改正前特許法第１７条の２第５項で準用する同法第１２６条第５項の規定に違反するものであり、特許法第１５９条第１項において読み替えて準用する同法第５３条第１項の規定により却下すべきものである。
　
第３　本願発明について
１．本願発明
　平成１７年１２月２６日付けの手続補正は上記のとおり却下されたので、本願の請求項１乃至１４に記載された発明は、平成１７年９月９日付け手続補正により補正された明細書の特許請求の範囲の請求項１乃至１４に記載されたとおりのものであるところ、請求項１に記載された発明（以下、「本願発明」という。）は、上記「第２　［理由］１．補正後の本願発明」において本件補正前の請求項１として掲げたとおりのものである。
　
２．引用例
　引用例及びその記載事項は、上記「第２　［理由］２．引用例」において記載したとおりである。
　
３．対比・判断
　本願発明は、上記「第２　［理由］」で検討した本願補正発明における、「最上位層」の「オーディオプログラム」及び「下位の階層」に関し、「前記最上階層は、意味的に連続した内容を有する単一または複数のオーディオプログラムであり、該最上階層より下位の階層はオーディオシーンとオーディオショットの少なくとも一つを含む階層により表現する」との限定する特定事項を省いたものである。
　そうすると、本願発明を特定するために必要な事項を全て含み、さらに他の事項を付加したものに相当する本願補正発明が、上記「第２　［理由］４．判断」に記載したとおり、引用例に記載された発明及び慣用技術に基づいて、当業者が容易に発明をすることができたものであるから、本願発明も、同様の理由により、当業者が容易に発明をすることができたものである。
　
４．むすび
　以上のとおり、本願の請求項１に記載された発明は、引用例に記載された発明及び慣用技術に基づいて当業者が容易に発明をすることができたものであるから、特許法第２９条第２項の規定により特許を受けることができない。
　したがって、本願は、その余の請求項について論及するまでもなく、拒絶すべきものである。
　
　よって、結論のとおり審決する。